(57)【要約】【課題】本発明は、千鳥状に配設された複数の密着イメージセンサを用いて読み取った原稿の画像品質を向上させる。【解決手段】デジタル複写装置１は、読み取りセンサ部３２が、原稿の搬送方向に所定量位置ずれして主走査方向に所定長さの原稿読み取り領域を有するとともに、それぞれの端部の原稿読み取り領域が所定量重なり合った重複部分を有する状態で千鳥状に配置されている複数のＣＩＳを用いて原稿の画像を読み取って、該重複部分で読み取った該各ＣＩＳの出力する画像データを１ラインの画像データに合成する繋ぎ目補正処理を行うか否かを、システム制御部が、ＣＩＳの原稿読み取り領域の主走査長さと原稿幅に基づいて判定して、繋ぎ目補正処理の実施を制御する。【選択図】          図１
2012065161.tif 000002
【特許請求の範囲】
【請求項１】
原稿を搬送する原稿搬送手段と、
前記原稿の搬送方向に所定量位置ずれして該原稿の搬送方向と直交する主走査方向に所定長さの原稿読み取り領域を有する複数の一次元の画像読み取りセンサが、それぞれの端部の該原稿読み取り領域が所定量重なり合った重複部分を有する状態で、千鳥状に配置されて該原稿の画像を読み取る画像読み取り手段と、
前記原稿の幅を取得する原稿幅取得手段と、
前記画像読み取りセンサが前記重複部分で読み取った該各画像読み取りセンサの画像データを１ラインの画像データに合成する画像合成処理を行う画像処理手段と、
前記画像読み取りセンサの前記原稿読み取り領域の主走査長さと前記原稿幅に基づいて前記画像合成処理の要否を判断して該画像合成処理の実施を制御する制御手段と、
を備えていることを特徴とする画像読み取り装置。
【請求項２】
前記制御手段は、
複数の前記画像読み取りセンサのうち１つの画像読み取りセンサで前記画像の読み取りが可能である場合には、前記画像合成処理が不要であると判断して該画像合成処理の実施を禁止することを特徴とする請求項１記載の画像読み取り装置。
【請求項３】
前記原稿幅取得手段は、
前記原稿搬送手段によって前記画像読み取り手段へ搬送される前記原稿の幅を検出する原稿幅検出手段または該原稿の幅が設定入力される原稿幅入力手段であることを特徴とする請求項１または請求項２記載の画像読み取り装置。
【請求項４】
前記画像読み取り装置は、
前記画像読み取りセンサの出力する画像データを少なくとも主走査方向に変倍する変倍手段と、
少なくとも主走査方向の変倍率が設定入力される変倍率設定手段と、
を備え、
前記制御手段は、
前記画像読み取りセンサの前記原稿読み取り領域の主走査長さ、前記原稿幅及び前記変倍率に基づいて前記画像合成処理の要否を判断して該画像合成処理の実施を制御することを特徴とする請求項１から請求項３のいずれかに記載の画像読み取り装置。
【請求項５】
原稿を搬送する原稿搬送手段と、
前記原稿の搬送方向に所定量位置ずれして該原稿の搬送方向と直交する主走査方向に所定長さの原稿読み取り領域を有する複数の一次元の画像読み取りセンサが、それぞれの端部の該原稿読み取り領域が所定量重なり合った重複部分を有する状態で、千鳥状に配置されて該原稿の画像を読み取る画像読み取り手段と、
前記画像読み取りセンサの出力する画像データを少なくとも主走査方向に変倍する変倍手段と、
少なくとも主走査方向の変倍率が設定入力される変倍率設定手段と、
出力する画像の幅が設定入力される出力画像幅設定手段と、
前記画像読み取りセンサが前記重複部分で読み取った該各画像読み取りセンサの画像データを１ラインの画像データに合成する画像合成処理を行う画像処理手段と、
前記画像読み取りセンサの前記原稿読み取り領域の主走査長さ、前記変倍率及び前記出力画像の幅に基づいて前記画像合成処理の要否を判断して該画像合成処理の実施を制御する制御手段と、
を備えていることを特徴とする画像読み取り装置。
【請求項６】
前記制御手段は、
複数の前記画像読み取りセンサのうち、前記主走査方向中央位置または一方側端部位置に配設され、前記原稿を読み取る基準となる基準画像読み取りセンサと、該基準画像読み取りセンサとその端部が重なり合っている他の画像読み取りセンサの該重複部分が読み取った画像データに対する前記画像合成処理の要否を判断することを特徴とする請求項１から請求項５のいずれかに記載の画像読み取り装置。
【請求項７】
前記画像読み取り手段は、
複数の前記画像読み取りセンサのうち、前記原稿を読み取る基準となる基準画像読み取りセンサが、主走査方向中央位置または主走査方向一方側端部位置に配設され、他の該画像読み取りセンサよりも前記原稿読み取り領域の長さが長いことを特徴とする請求項１から請求項６のいずれかに記載の画像読み取り装置。
【請求項８】
前記制御手段は、
前記画像合成処理の要否を判断するとともに、複数の前記画像読み取りセンサのうち前記原稿を読み取るのに使用する該画像読み取りセンサを決定して、前記画像読み取り手段に、決定した該画像読み取りセンサのみを用いて該原稿を読み取らせることを特徴とする請求項１から請求項７のいずれかに記載の画像読み取り装置。
【請求項９】
原稿を搬送する原稿搬送手段と、
前記原稿の搬送方向に所定量位置ずれして該原稿の搬送方向と直交する主走査方向に所定長さの原稿読み取り領域を有する複数の一次元の画像読み取りセンサが、それぞれの端部の該原稿読み取り領域が所定量重なり合った重複部分を有する状態で、千鳥状に配置されて前記原稿の画像を読み取る画像読み取り手段と、
画像データに基づいて記録媒体に画像を形成する画像形成手段と、
前記原稿の幅を取得する原稿幅取得手段と、
前記記録媒体の幅を取得する記録媒体幅取得手段と、
前記画像読み取りセンサの出力する画像データを少なくとも主走査方向に変倍する変倍手段と、
前記原稿幅を前記記録媒体幅に合わせた媒体幅変倍要求が設定される変倍設定手段と、
前記画像読み取りセンサが前記重複部分で読み取った該各画像読み取りセンサの画像データを１ラインの画像データに合成する画像合成処理を行う画像処理手段と、
前記画像読み取りセンサの前記原稿読み取り領域の主走査長さ、前記原稿幅及び前記記録媒体幅に基づいて前記画像処理手段による前記画像合成処理の要否を判断して該画像合成処理の実施を制御する制御手段と、
を備えていることを特徴とする画像形成装置。
【請求項１０】
原稿を搬送する原稿搬送手段と、
前記原稿の搬送方向に所定量位置ずれして該原稿の搬送方向と直交する主走査方向に所定長さの原稿読み取り領域を有する複数の一次元の画像読み取りセンサが、それぞれの端部の該原稿読み取り領域が所定量重なり合った重複部分を有する状態で、千鳥状に配置されて前記原稿の画像を読み取る画像読み取り手段と、
画像データに基づいて記録媒体に画像を形成する画像形成手段と、
前記記録媒体の幅を取得する記録媒体幅取得手段と、
前記画像読み取りセンサの出力する画像データを少なくとも主走査方向に変倍する変倍手段と、
少なくとも主走査方向の変倍率が設定入力される変倍率設定手段と、
前記画像読み取りセンサが前記重複部分で読み取った該各画像読み取りセンサの画像データを１ラインの画像データに合成する画像合成処理を行う画像処理手段と、
前記画像読み取りセンサの前記原稿読み取り領域の主走査長さ、前記記録媒体幅及び前記変倍率に基づいて前記画像合成処理の要否を判断して該画像合成処理の実施を制御する制御手段と、
を備えていることを特徴とする画像形成装置。
【請求項１１】
原稿を搬送する原稿搬送処理ステップと、
前記原稿の搬送方向に所定量位置ずれして前記原稿の搬送方向と直交する主走査方向に所定長さの原稿読み取り領域を有するとともに、それぞれの端部の該原稿読み取り領域が所定量重なり合った重複部分を有する状態で千鳥状に配置されている複数の一次元の画像読み取りセンサを用いて該原稿の画像を読み取る画像読み取り処理ステップと、
前記原稿の幅を取得する原稿幅取得処理ステップと、
前記画像読み取りセンサが前記重複部分で読み取った該各画像読み取りセンサの画像データを１ラインの画像データに合成する画像合成処理を行う画像処理ステップと、
前記画像読み取りセンサの前記原稿読み取り領域の主走査長さと前記原稿幅に基づいて前記画像合成処理の要否を判断して該画像合成処理の実施を制御する制御処理ステップと、
を有していることを特徴とする画像読み取り方法。
【請求項１２】
原稿を搬送する原稿搬送処理ステップと、
前記原稿の搬送方向に所定量位置ずれして前記原稿の搬送方向と直交する主走査方向に所定長さの原稿読み取り領域を有するとともに、それぞれの端部の該原稿読み取り領域が所定量重なり合った重複部分を有する状態で千鳥状に配置されている複数の一次元の画像読み取りセンサを用いて該原稿の画像を読み取る画像読み取り処理ステップと、
前記画像読み取りセンサの出力する画像データを少なくとも主走査方向に変倍する変倍処理ステップと、
設定入力される少なくとも主走査方向の変倍率を取得する変倍率取得処理ステップと、
設定入力される出力画像の幅を取得する出力画像幅取得処理ステップと、
前記画像読み取りセンサが前記重複部分で読み取った該各画像読み取りセンサの画像データを１ラインの画像データに合成する画像合成処理を行う画像処理ステップと、
前記画像読み取りセンサの前記原稿読み取り領域の主走査長さ、前記変倍率及び前記出力画像の幅に基づいて前記画像合成処理の要否を判断して該画像合成処理の実施を制御する制御処理ステップと、
を有していることを特徴とする画像読み取り方法。
【請求項１３】
原稿を搬送する原稿搬送処理ステップと、
前記原稿の搬送方向に所定量位置ずれして前記原稿の搬送方向と直交する主走査方向に所定長さの原稿読み取り領域を有するとともに、それぞれの端部の該原稿読み取り領域が所定量重なり合った重複部分を有する状態で千鳥状に配置されている複数の一次元の画像読み取りセンサを用いて該原稿の画像を読み取る画像読み取り処理ステップと、
画像データに基づいて記録媒体に画像を形成する画像形成処理ステップと、
前記原稿の幅を取得する原稿幅取得処理ステップと、
前記記録媒体の幅を取得する記録媒体幅取得処理ステップと、
前記画像読み取りセンサの出力する画像データを少なくとも主走査方向に変倍する変倍処理ステップと、
前記原稿幅を前記記録媒体幅に合わせた変倍を要求する媒体幅変倍要求を取得する変倍要求取得処理ステップと、
前記画像読み取りセンサが前記重複部分で読み取った該各画像読み取りセンサの画像データを１ラインの画像データに合成する画像合成処理を行う画像処理ステップと、
前記画像読み取りセンサの前記原稿読み取り領域の主走査長さ、前記原稿幅及び前記記録媒体幅に基づいて前記画像合成処理の要否を判断して該画像合成処理の実施を制御する制御処理ステップと、
を有していることを特徴とする画像形成方法。
【請求項１４】
原稿を搬送する原稿搬送処理ステップと、
前記原稿の搬送方向に所定量位置ずれして前記原稿の搬送方向と直交する主走査方向に所定長さの原稿読み取り領域を有するとともに、それぞれの端部の該原稿読み取り領域が所定量重なり合った重複部分を有する状態で千鳥状に配置されている複数の一次元の画像読み取りセンサを用いて該原稿の画像を読み取る画像読み取り処理ステップと、
画像データに基づいて記録媒体に画像を形成する画像形成処理ステップと、
前記記録媒体の幅を取得する記録媒体幅取得処理ステップと、
前記画像読み取りセンサの出力する画像データを少なくとも主走査方向に変倍する変倍処理ステップと、
設定入力される少なくとも主走査方向の変倍率を取得する変倍率取得処理ステップと、
前記画像読み取りセンサが前記重複部分で読み取った該各画像読み取りセンサの画像データを１ラインの画像データに合成する画像合成処理を行う画像処理ステップと、
前記画像読み取りセンサの前記原稿読み取り領域の主走査長さ、前記記録媒体幅及び前記変倍率に基づいて前記画像合成処理の要否を判断して該画像合成処理の実施を制御する制御処理ステップと、
を有していることを特徴とする画像形成方法。
【請求項１５】
コンピュータに、
原稿を搬送する原稿搬送処理と、
前記原稿の搬送方向に所定量位置ずれして前記原稿の搬送方向と直交する主走査方向に所定長さの原稿読み取り領域を有するとともに、それぞれの端部の該原稿読み取り領域が所定量重なり合った重複部分を有する状態で千鳥状に配置されている複数の一次元の画像読み取りセンサを用いて該原稿の画像を読み取る画像読み取り処理と、
前記原稿の幅を取得する原稿幅取得処理と、
前記画像読み取りセンサが前記重複部分で読み取った該各画像読み取りセンサの画像データを１ラインの画像データに合成する画像合成処理を行う画像処理と、
前記画像読み取りセンサの前記原稿読み取り領域の主走査長さと前記原稿幅に基づいて前記画像合成処理の要否を判断して該画像合成処理の実施を制御する制御処理と、
を実行させることを特徴とする画像読み取りプログラム。
【請求項１６】
コンピュータに、
原稿を搬送する原稿搬送処理と、
前記原稿の搬送方向に所定量位置ずれして前記原稿の搬送方向と直交する主走査方向に所定長さの原稿読み取り領域を有するとともに、それぞれの端部の該原稿読み取り領域が所定量重なり合った重複部分を有する状態で千鳥状に配置されている複数の一次元の画像読み取りセンサを用いて該原稿の画像を読み取る画像読み取り処理と、
前記画像読み取りセンサの出力する画像データを少なくとも主走査方向に変倍する変倍処理と、
設定入力される少なくとも主走査方向の変倍率を取得する変倍率取得処理と、
設定入力される出力画像の幅を取得する出力画像幅取得処理と、
前記画像読み取りセンサが前記重複部分で読み取った該各画像読み取りセンサの画像データを１ラインの画像データに合成する画像合成処理を行う画像処理と、
前記画像読み取りセンサの前記原稿読み取り領域の主走査長さ、前記変倍率及び前記出力画像の幅に基づいて前記画像合成処理の要否を判断して該画像合成処理の実施を制御する制御処理と、
を実行させることを特徴とする画像読み取りプログラム。
【請求項１７】
コンピュータに、
原稿を搬送する原稿搬送処理と、
前記原稿の搬送方向に所定量位置ずれして前記原稿の搬送方向と直交する主走査方向に所定長さの原稿読み取り領域を有するとともに、それぞれの端部の該原稿読み取り領域が所定量重なり合った重複部分を有する状態で千鳥状に配置されている複数の一次元の画像読み取りセンサを用いて該原稿の画像を読み取る画像読み取り処理と、
画像データに基づいて記録媒体に画像を形成する画像形成処理と、
前記原稿の幅を取得する原稿幅取得処理と、
前記記録媒体の幅を取得する記録媒体幅取得処理と、
前記画像読み取りセンサの出力する画像データを少なくとも主走査方向に変倍する変倍処理と、
前記原稿幅を前記記録媒体幅に合わせた変倍を要求する媒体幅変倍要求を取得する変倍要求取得処理と、
前記画像読み取りセンサが前記重複部分で読み取った該各画像読み取りセンサの画像データを１ラインの画像データに合成する画像合成処理を行う画像処理と、
前記画像読み取りセンサの前記原稿読み取り領域の主走査長さ、前記原稿幅及び前記記録媒体幅に基づいて前記画像合成処理の要否を判断して該画像合成処理の実施を制御する制御処理と、
を実行させることを特徴とする画像形成プログラム。
【請求項１８】
コンピュータに、
原稿を搬送する原稿搬送処理と、
前記原稿の搬送方向に所定量位置ずれして前記原稿の搬送方向と直交する主走査方向に所定長さの原稿読み取り領域を有するとともに、それぞれの端部の該原稿読み取り領域が所定量重なり合った重複部分を有する状態で千鳥状に配置されている複数の一次元の画像読み取りセンサを用いて該原稿の画像を読み取る画像読み取り処理と、
画像データに基づいて記録媒体に画像を形成する画像形成処理と、
前記記録媒体の幅を取得する記録媒体幅取得処理と、
前記画像読み取りセンサの出力する画像データを少なくとも主走査方向に変倍する変倍処理と、
設定入力される少なくとも主走査方向の変倍率を取得する変倍率取得処理と、
前記画像読み取りセンサが前記重複部分で読み取った該各画像読み取りセンサの画像データを１ラインの画像データに合成する画像合成処理を行う画像処理と、
前記画像読み取りセンサの前記原稿読み取り領域の主走査長さ、前記記録媒体幅及び前記変倍率に基づいて前記画像合成処理の要否を判断して該画像合成処理の実施を制御する制御処理と、
を実行させることを特徴とする画像形成プログラム。
【請求項１９】
請求項１５または請求項１６記載の画像読み取りプログラムを記録したことを特徴とするコンピュータが読み取り可能な記録媒体。
【請求項２０】
請求項１７または請求項１８記載の画像形成プログラムを記録したことを特徴とするコンピュータが読み取り可能な記録媒体。
【発明の詳細な説明】
【技術分野】
【０００１】
本発明は、画像読み取り装置、画像形成装置、画像読み取り方法、画像形成方法、画像読み取りプログラム、画像形成プログラム及び記録媒体に関し、詳細には、千鳥状に配設された複数の密着イメージセンサを用いて原稿の画像を読み取った画像の品質を向上させる画像読み取り装置、画像形成装置、画像読み取り方法、画像形成方法、画像読み取りプログラム、画像形成プログラム及び記録媒体に関する。
【背景技術】
【０００２】
原稿の画像を読み取るスキャナ装置、複写装置、複合装置等の画像読み取り装置、特に、Ａ０サイズ等の広幅の原稿の画像を読み取る画像読み取り装置においては、搬送ローラによって搬送される原稿の画像を、ＣＩＳ（Contact Image Sensor：密着イメージセンサ）を用いて読み取っているが、コストを下げるために、読み取り最大原稿サイズよりも小さいサイズ、例えば、Ａ３やＡ４サイズ等の密着イメージセンサを、その相隣接する側の原稿読み取り領域の端部を一部重ね合わせて千鳥状に並べて配置したセンサ部によって、広幅の原稿を読み取るように構成されている。
【０００３】
複数の密着イメージセンサを千鳥配置したセンサ部を備えた画像読み取り装置においては、複数の密着イメージセンサの読み取った画像データを、適切に繋ぎ合せて単一の密着イメージセンサで読み取ったかのような画像データに合成する繋ぎ目補正処理（画像合成処理）を行う必要がある。
【０００４】
そこで、従来、複数の汎用の密着型イメージセンサを千鳥状に配列したセンサ部を備えた画像読み取り装置では、千鳥状に配列された複数の密着型イメージセンサのうち、副走査方向（原稿搬送方向と平行の方向）の一方側に位置ずれして主走査方向に配置されている密着型イメージセンサが読み取った画像データをメモリに保管し、副走査方向の他方側に位置ずれして主走査方向に配置されている密着イメージセンサが読み取った画像データをメモリに保管する。そして、画像読み取り装置は、副走査方向において重なり合っている部分の密着イメージセンサの読み取った画像データについては、主走査方向においては、各密着イメージセンサの読み取り範囲を調整することにより画像データの繋ぎ合わせを行ない、副走査方向においては、メモリから画像データを読み出す遅延時間を、副走査方向の配置ずれ量と搬送速度に基づいて調整することにより繋ぎ合わせを行っている。そして、従来の画像読み取り装置は、端部の重なり合っている密着型イメージセンサの読み取った画像データを繋ぎ合わせるために、重なり合う両方の密着型イメージセンサの該重なり合う部分の中心を基準として画像データの調整を行っている（特許文献１参照）。
【発明の概要】
【発明が解決しようとする課題】
【０００５】
しかしながら、上記従来技術にあっては、密着イメージセンサの原稿読み取り領域の重なり合う部分の画像データの調整を、密着型イメージセンサの原稿読み取り領域において重なり合う部分の中心を基準として行っているため、読み取り対象の原稿の端部が、密着イメージセンサの重なり合う部分を含めた該原稿の端部よりも内側に位置する密着型イメージセンサの原稿読み取り領域内で読み取り可能であっても、該重なり合っている密着イメージセンサの該原稿よりも外側の密着イメージセンサの読み取った画像データとの重なり合う部分の画像データの調整を行った画像データを、該原稿の読み取り画像データとして採用することとなり、画像データの調整を高精度に行っても画像データの継ぎ目が画像に現れて画像品質が劣化するおそれがある。特に、密着型イメージセンサで読み取った読み取り画像を拡大する変倍処理を行うと、密着イメージセンサの繋ぎ目部分の画像も拡大されて出力画像に現れ、画質が悪化するおそれがある。
【０００６】
そこで、本発明は、複数の千鳥状に配設された一次元の画像読み取りセンサで原稿を読み取った画像データの画像品質を向上させる画像読み取り装置、画像形成装置、画像読み取り方法、画像形成方法、画像読み取りプログラム、画像形成プログラム及び記録媒体を提供することを目的としている。
【課題を解決するための手段】
【０００７】
本発明は、上記目的を達成するために、原稿の搬送方向に所定量位置ずれして主走査方向に所定長さの原稿読み取り領域を有するとともに、それぞれの端部の該原稿読み取り領域が所定量重なり合った重複部分を有する状態で千鳥状に配置されている複数の一次元の画像読み取りセンサを用いて該原稿の画像を読み取って、該重複部分で読み取った該各画像読み取りセンサの画像データを１ラインの画像データに合成する画像合成処理を行うか否かを、画像読み取りセンサの原稿読み取り領域の主走査長さと原稿幅に基づいて判断して該画像合成処理の実施を制御することを特徴としている。
【０００８】
また、本発明は、原稿の搬送方向に所定量位置ずれして主走査方向に所定長さの原稿読み取り領域を有するとともに、それぞれの端部の該原稿読み取り領域が所定量重なり合った重複部分を有する状態で千鳥状に配置されている複数の一次元の画像読み取りセンサを用いて該原稿の画像を読み取って、該読み取った画像データを主走査方向に変倍するとともに、該重複部分で読み取った該各画像読み取りセンサの画像データを１ラインの画像データに合成する画像合成処理を行うか否かを、画像読み取りセンサの原稿読み取り領域の主走査長さ、変倍率及び出力画像の幅に基づいて判断して該画像合成処理の実施を制御することを特徴としている。
【発明の効果】
【０００９】
本発明によれば、複数の千鳥状に配設された一次元の画像読み取りセンサで原稿を読み取った画像データの画像品質を向上させることができる。
【図面の簡単な説明】
【００１０】
【図１】本発明の一実施例を適用したデジタル複写装置の概略構成図。
【図２】画像読み取り部の上面図。
【図３】画像読み取り部の側面概略構成図。
【図４】デジタル複写装置の要部ブロック構成図。
【図５】画像読み取り処理を示すフローチャート。
【図６】図５の続きの処理を示すフローチャート。
【図７】画像読み取りタイミング図。
【図８】読み取り領域テーブルの一例を示す図。
【図９】画像処理部による画像処理を示すフローチャート。
【図１０】繋ぎ目補正処理の説明図。
【図１１】基準のＣＩＳの主走査方向長さが他のＣＩＳより長い場合の読み取り部上面図。
【図１２】図１１の読み取り部に対応する読み取り領域テーブルの一例を示す図。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１〜図１２は、本発明の画像読み取り装置、画像形成装置、画像読み取り方法、画像形成方法、画像読み取りプログラム、画像形成プログラム及び記録媒体の第１実施例を示す図であり、図１は、本発明の画像読み取り装置、画像形成装置、画像読み取り方法、画像形成方法、画像読み取りプログラム、画像形成プログラム及び記録媒体の第１実施例を適用したデジタル複写装置１の側面概略構成図である。
【００１３】
図１において、デジタル複写装置（画像読み取り装置、画像形成装置）１は、本体筐体２内に、カセット給紙部３、ロール給紙部４、搬送部５、画像形成部６、排紙部７が収納されており、本体筐体２の上面には、排紙トレイ８が形成されていて、さらに、本体筐体２の上部に、画像読み取り部１１、原稿テーブル１２、操作表示部１３及び原稿排出テーブル１４等が配設されている。デジタル複写装置１は、広幅の用紙に対応している。
【００１４】
カセット給紙部３には、複数枚のシート状用紙（記録媒体）がセットされ、幅広サイズを含めて、各種サイズのシート状用紙をセットすることができる。カセット給紙部３は、収納するシート状用紙を１枚ずつ搬送部５に送り出し、搬送部５は、カセット給紙部３から送り出されてきたシート状用紙を画像形成部６に搬送する。なお、図示しないが、カセット給紙部３は、セットされたシート状用紙の少なくとも幅サイズ（幅）を検出する用紙センサが配設されている。
【００１５】
ロール給紙部４は、２つのロール紙（記録媒体）を収納可能であり、各種幅サイズのロール紙を収納することができる。ロール給紙部４は、２つのロール紙のうち、選択された方のロール紙を搬送部５に送り出し、搬送部５は、ロール給紙部４から送り出されてきたロール紙を画像形成部６に搬送するとともに、図示しないカッターによって形成する画像長さに合わせてロール紙を切断する。なお、図示しないが、ロール給紙部４は、セットされたロール紙それぞれの少なくとも幅サイズ（幅）を検出する用紙センサが配設されている。また、以下の説明では、必要に応じて、シート状用紙及びロール紙を区別すること無く、用紙という。
【００１６】
画像形成部（画像形成手段）６は、図１の反時計方向に回転駆動される感光体２１を中心として、帯電チャージャ２２、光書き込み部２３、現像ユニット２４、転写チャージャ２５、分離チャージャ２６及び図示しない除電部やクリーニング部等を備えているとともに、レジストローラ２７及び定着部２８等を備えており、帯電チャージャ２２は、感光体２１を一様に帯電（例えば、−９００Ｖに帯電）させるグリッド付きのスコロトロンチャージャが用いられていて、非接触で帯電処理を行う。
【００１７】
光書き込み部２３は、発光素子であるＬＥＤ（Light Emitting Diode）をアレイ状に配設された複数（の本実施例では、３つ）のＬＰＨ（ＬＥＤヘッド：LED Print Head、ＬＥＤアレイユニット）２３ａ〜２３ｃ（図２参照）、ＳＬＡ（セルフォックレンズアレイ）及び書き込み制御部２３ｄ等を備え、画像読み取り部１１で読み取った原稿の画像データや外部のコンピュータ等の外部装置から送られてきた画像データに基づいて点灯制御される光をＬＥＤアレイからＳＬＡを介して感光体２１表面に照射することで、感光体２１の表面に、光の照射された部分の電荷を消滅させて静電潜像を形成する。すなわち、感光体２１は、アースに接続されており、光書き込み部２３から光が照射されると、光導電現象で感光体２１の光照射された部分の電荷がアースに流れて消失する。デジタル複写装置１は、画像データに基づいて、例えば、原稿濃度の淡い部分については、光書き込み部２３のＬＥＤを発光させないようにし、原稿濃度の濃い部分については、ＬＥＤを発光させることで、感光体２１の表面に、ＬＥＤ光の照射／非照射によって、画像の濃淡に対応した静電潜像を形成する。
【００１８】
現像ユニット２４は、ユニット内に撹拌によって負に帯電されているトナーを、静電潜像が形成されて、−７００Ｖに印加されている感光体２１に、ＬＥＤ光の照射部分にのみトナーを付着させて、トナー画像を形成する。
【００１９】
画像形成部６は、レジストローラ２７によって、搬送部５から搬送されてきたシート状用紙またはロール紙等の用紙を一旦停止させた後、感光体２１上のトナー画像と位置合わせして、感光体２１と転写チャージャ２５との間に搬送し、転写チャージャ２５によって、感光体２１上のトナー画像を用紙上に転写させる。画像形成部６は、転写の完了した用紙を分離チャージャ２６によって感光体２１から分離させて定着部２８に送り出す。定着部２８は、トナー画像の転写された用紙を加熱・加圧しつつ搬送して、トナー画像を用紙に定着させ、排紙部７が、トナー画像の定着の完了した用紙を排紙トレイ８上またはデジタル複写装置１外に排出する。
【００２０】
なお、本実施例においては、画像形成部６が、電子写真方式の画像形成部である場合について説明したが、画像形成部の画像形成方式としては、電子写真方式に限るものではなく、例えば、インク噴射方式等であってもよい。
【００２１】
操作表示部（原稿幅入力手段、変倍率設定手段、出力画像幅設定手段）１３は、テンキー、スタートキー、ストップキー、リセットキー、モード設定キー等の操作キー、ディスプレイ（例えば、液晶ディスプレイ）、ＬＥＤ（Light Emitting Diode）等を備え、操作キーからは、デジタル複写装置１を利用した複写処理に必要な各種操作（例えば、変倍や集約等の画像処理のモード設定、コピー部数や解像度等のコヒー条件の設定操作等）が行われ、ディスプレイには、操作キーから入力された命令内容やデジタル複写装置１からユーザに通知する各種情報が表示される。特に、操作表示部１３は、カセット給紙部３やロール給紙部４にセットした用紙の幅サイズの入力、原稿台１２にセットした原稿Ｇの幅サイズの入力に使用される。
【００２２】
画像読み取り部１１は、原稿テーブル１２にセットされた原稿を１枚ずつ搬送しつつ、該原稿の画像を読み取って、画像の読み取りの完了した原稿を排出テーブル１４上に排出する。
【００２３】
この画像読み取り部１１は、図２及び図３に示すように、原稿Ｇの搬送方向（副走査方向）に対して上流側から下流側に向かって、前ローラ対３１、読み取りセンサ部３２、後ローラ対３３の順に配置され、さらに、主走査方向中央部付近に副走査方向に並んで、前ローラ追３１、読み取りセンサ部３２及び後ローラ対３３の原稿Ｇの搬送方向手前に原稿挿入センサ３４、原稿レジストセンサ３５及び原稿排出センサ３６が配設されている。また、画像読み取り部１１は、主走査方向中央部を原稿中央位置として、該原稿Ｇの主走査幅サイズを検知する複数の原稿幅サイズ検知センサ（原稿幅取得手段、原稿幅検出手段）３７ａ〜３７ｄが配設されており、原稿幅サイズ検知センサ３７ａ〜３７ｄは、例えば、原稿中央位置に近い方の原稿幅サイズ検知センサ３７ａが、Ａ３サイズ幅検知用、原稿幅サイズ検知センサ３７ｂが、Ａ２サイズ幅検知用、原稿幅サイズ検知サイズ３７ｃが、Ａ１サイズ幅検知用、原稿幅サイズ検知サイズ３７ｄが、Ａ０サイズ幅検知用である。さらに、画像読み取り部１１は、図３に示すように、読み取りセンサ部３２の上部に、白基準板３８が配設されており、白基準板３８は、原稿Ｇの搬送をガイドするとともに、読み取りセンサ部３２のレベルの調整にも使用される。本実施例のデジタル複写装置１は、読み取りセンサ部３２が原稿Ｇの搬送面よりも下に配設されているため、原稿台１２に載置された原稿Ｇの下面の画像を読み取りセンサ部３２で読み取る。なお、本実施例の画像読み取り部１１は、主走査方向中央位置を原稿中央位置とする中央基準方式が採用されているが、主走査方向一方側の端部を原稿端面位置とする端面基準方式であってもよい。また、本実施例の画像読み取り部１１は、Ａ系列（Ａ０、Ａ１、Ａ２、Ａ３、Ａ４）に対応した原稿幅サイズ検知センサ３７ａ〜３７ｄが配置されているが、原稿幅サイズ検知センサは、Ｂ系列に対応したサイズ検知センサであってもよいし、画像読み取り部１１を上面から見て、例えば、右側にＡ系列の原稿幅サイズ検知センサ３７ａ〜３７ｄを、左側にＢ系列の原稿幅サイズ検知センサを配置してもよい。
【００２４】
また、画像読み取り部１１は、前ローラ対３１及び後ローラ対３３を駆動させる原稿搬送モータ３９が原稿搬送面の下部に配設されている。
【００２５】
原稿挿入センサ３４は、原稿台１２への原稿Ｇの挿入の有無を検知し、原稿幅サイズ検知センサ３７ａ〜３７ｄは、原稿台１２へ挿入された原稿Ｇの幅サイズを検知する。前ローラ対３１は、原稿台１２に挿入された原稿Ｇを読み取りセンサ部３２を通過させて、後ローラ対３３へと搬送し、原稿レジストセンサ３５は、読み取りセンサ部３２に搬送される原稿Ｇを検出して読み取りセンサ部３２による原稿Ｇの読み取りタイミングを制御するための読み取りレジスト信号を出力する。原稿排出センサ３６は、読み取りセンサ部３２で画像の読み取られた原稿Ｇの後ローラ対３３への搬送を検出する。
【００２６】
さらに、読み取りセンサ部（画像読み取り手段）３２は、主走査方向に最大原稿幅サイズよりも長く、副走査方向に所定幅を有するセンサ本体筐体３２ｈの上面部にコンタクトガラス（図示略）が配設されており、センサ本体筐体３２ｈ内には、５つの一次元の画像読み取りセンサであるＣＩＳ（密着イメージセンサ）３２ａ、３２ｂ、３２ｃ、３２ｄ、３２ｅが、中央のＣＩＳ３２ｃを基準として、ＣＩＳ３２ａ、ＣＩＳ３２ｄが、副走査方向同じ位置に、ＣＩＳ３２ｂ、３２ｄがメカニカルレイアウト上、原稿搬送方向（副走査方向）に所定量位置ずれして、それぞれの原稿読み取り領域の端部が所定量重なり合う状態で、副走査方向に千鳥状に配設されている。すなわち、図２に示すように、中央部の基準のＣＩＳ３２ｃ及び両端部のＣＩＳ３２ａ、３２ｅが原稿Ｇの搬送方向手前側に位置しており、ＣＩＳ３２ｂ及びＣＩＳ３２ｄは、中央のＣＩＳ３２ｃ及び両端部のＣＩＳ３２ａ、３２ｅとの間で、副走査方向において、主走査方向所定長さにおいてその端部が重なり合っている。
【００２７】
各ＣＩＳ３２ａ〜３２ｅは、図示しないが、光源、レンズ及びイメージセンサアレイを備えており、イメージセンサアレイは、ＣＭＯＳ（Complementary Metal Oxide Semiconductor ）やＣＣＤ（Charge Coupled Device ）等のイメージセンサがアレイ状に並べられている。
【００２８】
上記白基準板３８は、副走査方向に少なくともＣＩＳ３２ａ〜３２ｅの副走査方向幅を有し、主走査方向に最大原稿幅を超える長さを有していて、コンタクトガラスとの間に搬送されてくる原稿Ｇをコンタクトガラスに押しつけつつ搬送させるとともに、ＣＩＳ３２ａ〜３２ｅ側の面が白色に施されていて、各ＣＩＳ３２ａ〜３２ｅの光源の照射斑やイメージセンサアレイの感度バラツキを補正するシェーディング補正の白基準データを提供する。
【００２９】
各ＣＩＳ３２ａ〜３２ｅは、光源からコンタクトガラスを通して白基準板３８に読み取り光を照射して、その反射光をレンズを通してイメージセンサアレイに集光し、イメージセンサアレイが入射光を光電変換することで、白基準データを取得する。また、ＣＩＳ３２ａ〜３２ｅは、原稿Ｇの読み取り時、コンタクトガラスと白基準板３８の間を搬送される原稿Ｇに、光源からコンタクトガラスを通して読み取り光を照射して、その反射光をレンズを通してイメージセンサアレイに集光し、イメージセンサアレイが入射光を光電変換することで、原稿Ｇの画像を読み取る。
【００３０】
ＣＩＳ３２ａ〜３２ｅは、上述のように、その原稿読み取り領域の端部が一部重なり合うように千鳥状に配設されており、主走査方向において重複読み取り範囲を有している。すなわち、ＣＩＳ２２ａとＣＩＳ２２ｂ、ＣＩＳ２２ｂとＣＩＳ２２ｃ、ＣＩＳ２２ｃとＣＩＳ２２ｄ及びＣＩＳ２２ｄとＣＩＳ２２ｅは、その重なり部分において、有効画像範囲と原稿読み取り領域が端部において重複部分を有している。そこで、デジタル複写装置１は、これらの重複部分のうち、原稿読み取り領域における重複部分である繋ぎ部において読み取った画像信号（画素データ）を電気的に繋ぎ合わせることにより、主走査方向においてズレのない画像を得ている。この主走査方向のＣＩＳ３２ａ〜３２ｅ間における繋ぎ部の画素位置は、各ＣＩＳ３２ａ〜３２ｅで個別に設定可能であり、画像の繋ぎ位置を調整することができる。
【００３１】
そして、デジタル複写装置１は、その要部が、図４に示すようにブロック構成されており、上記画像読み取り部１１、システム制御部４０、画像処理記憶部５０、電源部６０、操作表示部１３、光書き込み部２３等を備えている。
【００３２】
画像読み取り部１１は、上記ＣＩＳ３２ａ〜３２ｅ、各ＣＩＳ３２ａ〜３２ｅに対応して配設されているＡＤ（アナログ／デジタル）変換部１１ａ〜１１ｅ、読み取り制御部１１ｆ、画像転送部１１ｇ、読み取り駆動部１１ｈ及び上記幅サイズ検知センサ３７ａ〜３７ｄ等を備えており、読み取り制御部１１ｆは、入力されるプログラムによって回路構成を構築する制御ＦＰＧＡ（Field Programmable Gate Array）１１ｉを備えている。
【００３３】
画像読み取り部１１は、システム制御部４０の制御下で、読み取り制御部１１ｆが、制御ＦＰＧＡ１１ｉによって各ＣＩＳ３２ａ〜３２ｅへのＦＧＡＴＥ信号を制御して、各ＣＩＳ３２ａ〜３２ｅの駆動を制御し、各ＣＩＳ３２ａ〜３２ｅから出力されるアナログの画像データを、ＡＤ変換部１１ａ〜１１ｅが、画素単位でデジタル変換して、読み取り制御部１１fに入力する。読み取り制御部１１fは、原稿幅サイズ検知センサ３７ａ〜３７ｄからの検出信号に基づいて、ＣＩＳ３２ａ〜３２ｅの読み取った画像データのうち原稿Ｇの幅サイズに基づいて必要なＣＩＳ３２ａ〜３２ｅの読み取った画像データを決定して、決定したＣＩＳ３２ａ〜３２ｅの画像データを画像転送部１１ｇに出力し、画像転送部１１ｇは、読み取り制御部１１ｆから入力される画像データを画像処理記憶部５０に転送する。
【００３４】
読み取り駆動部１１ｈは、システム制御部４０からの制御下で、原稿搬送モータ３９を駆動させ、前ローラ対３１及び後ローラ対３３を回転させて原稿Ｇの搬送を行う。
【００３５】
画像処理記憶部５０は、画像処理部５１及び画像メモリ部５２等を備え、画像処理部５１に画像読み取り部１１の画像転送部１１ｇからＣＩＳ３２ａ〜３２ｅの読み取った画像データが転送されてくる。画像処理部（画像処理手段）５１は、画像メモリ部５２を利用して、画像データに対して各種補正処理を行うとともに、ＣＩＳ３２ａ〜３２ｅの原稿読み取り領域における重複部分である繋ぎ部で読み取った画像データ（画像信号）を電気的に繋ぎ合わせることにより、主走査方向においてズレのない画像とする繋ぎ目補正処理（画像合成処理）を行う。また、画像処理部５１は、画像処理として、光書き込み部２３で書き込みを行うのに適した２値の画像データに変換して、光書き込み部２３に出力する。なお、本実施例では、モノクロのデジタル複写装置を前提として説明しているため、画像処理部５１は、２値の画像データに変換しているが、カラーのデジタル複写装置の場合には、ＣＭＹＫ（Ｃ：シアン、Ｍ：マゼンタ、Ｙ：イエロー、Ｋ：ブラック）の画像データに変換する。
【００３６】
システム制御部（制御手段）４０は、ＣＰＵ（Central Processing Unit）４１、駆動制御回路４２及び図示しないＲＯＭ（Read Only Memory）やＲＡＭ（Random Access Memory）等を備えており、ＲＯＭ内には、デジタル複写装置１の基本プログラム及び本発明の画像処理プログラム等のプログラムやシステムデータが格納されている。システム制御部４０は、操作表示部１３との間で信号の授受を行って、操作表示部１３でのデジタル複写装置１に対する動作設定内容を受け取るとともに、ユーザに通知する各種情報を操作表示部１３に渡してディスプレイに表示させる。
【００３７】
システム制御部４０は、ＣＰＵ４１がＲＯＭ内のプログラムに基づいてＲＡＭをワークメモリとして利用しつつデジタル複写装置１の各部を制御して、デジタル複写装置１としての基本処理を実行するとともに、本発明のＣＩＳ３２ａ〜３２ｅの修正した繋ぎ目画像の採用を最小にする画像処理方法を実行する。
【００３８】
駆動制御回路４２は、ＣＩＳ４１の制御下で、画像読み取り部１１の読み取り駆動部１１ｈを介して原稿Ｇの搬送制御を行う。
【００３９】
デジタル複写装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の画像処理方法を実行する画像処理プログラムを読み込んでシステム制御部４０のＲＯＭやハードディスク等に導入することで、後述するＣＩＳ３２ａ〜３２ｅの繋ぎ部分の画像データを繋ぎ処理を施した画像データを採用するか、原稿Ｇ側のＣＩＳ３２ａ〜３２ｅのみを採用するかを原稿Ｇの画像データのサイズやコピーモードに基づいて決定して画像品質を向上させる画像処理方法を実行する画像読み取り装置及び画像形成装置として構築されている。この画像処理プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００４０】
光書き込み部２３は、上述のように、ＬＰＨ２３ａ〜２３ｃ及び書き込み制御部２３ｄ等を備えており、画像処理記憶部５０の画像処理部５１から送られてきた画像データに基づいて、ＬＰＨ２３ａ〜２３ｃを点灯制御して、感光体２１表面に照射することで、感光体２１の表面に静電潜像を形成する。ＬＰＨ２３ａ〜２３ｃは、ＬＥＤアレイとセルフォックレンズ等の光学素子を一体化した発光素子アレイユニットであり、感光体２１がＡ０幅の書込幅を有しているときには、それぞれＡ３幅の長さを有している。ＬＰＨ２３ａ〜２３ｃは、感光体２１の軸方向（主走査方向）にアレイ状に配設されているとともに、感光体２１の回転方向（副走査方向）に位置ずれして千鳥状に配設されている。そして、各ＬＰＨ２３ａ〜２３ｃは、図示しないが、所定数、例えば、４０個のＬＥＤアレイ（発光素子アレイ）が列状に等間隔で配列されており、各ＬＥＤアレイは、例えば、それぞれ１９２個のＬＥＤ素子が列状に配列されて、総数で、７６８０（１９２×４０＝７６８０）個のＬＥＤ素子が配列されている。各ＬＥＤ素子には、各ＬＥＤアレイ毎にドライバが接続されており、各ドライバには、書き込み制御部２３ｄが接続されている。
【００４１】
書き込み制御部２３ｄは、各ＬＰＨ２３ａ〜２３ｃの各ドライバにその時間だけそのＬＥＤ素子を点灯させるストローブ信号、データ転送用のクロック、データ転送を開始するためのリセット信号、データをセレクトする信号、光量補正と通常画像のデータを切り換えるロード信号等を出力する。
【００４２】
書き込み制御部２３ｄは、画像データを、各ＬＰＨ２３ａ〜２３ｃの各ドライバに転送し、各ドライバは、それぞれ内部で転送されてくる画像データをラッチして、各ＬＥＤ素子の点灯・消灯を行う。
【００４３】
電源部６０は、ＡＣ（交流）の商用電源をＤＣ（直流）変換したり、整流、変圧して、デジタル複写装置１の各部にＡＣ電力やＤＣ電力を供給、例えば、画像読み取り部１１の読み取り制御部１１ｆ、システム制御部４０及び書き込み制御部２３ｄにＤＣ電力を供給する。
【００４４】
次に、本実施例の作用について説明する。本実施例のデジタル複写装置１は、複数の千鳥状に配設された複数のＣＩＳ３２ａ〜３２ｅでの繋ぎ部分での読み取り画像データを原稿Ｇの幅サイズやコピー条件に応じて調整して、読み取った原稿の画像データの画像品質を向上させる。
【００４５】
すなわち、デジタル複写装置１は、図５及び図６に示すように画像読み取り処理を行い、そのときの各部の動作タイミングが、図７のように示される。なお、図７において、図５及び図６のステップナンバーに対応するタイミングに対しては、図５及び図６のステップナンバーを付記している。
【００４６】
デジタル複写装置１は、待機状態において、図５に示すように、ユーザによって、操作表示部１３でコピーモードにおける原稿読み取り条件や画像形成条件等のコピー条件が設定操作され、この設定操作においては、出力用紙の選択（例えば、画像形成において、カセット給紙部３のシート状用紙とロール給紙部４のロール紙のいずれを使用するかを選択）、変倍率の設定等が行われる（ステップＳ１０１）。
【００４７】
システム制御部４０は、待機状態において、操作表示部１３から設定情報が入力されると、原稿挿入センサ３４がＯＮ（オン）したか、すなわち、原稿台１２に原稿Ｇがセットされたかチェックし（ステップＳ１０２）、図７に示すように、原稿台１２に原稿Ｇがセットされて原稿挿入センサ３４がＯＮすると、予め設定されている原稿突き立て時間を内蔵のタイマにセットして（ステップＳ１０３）、原稿挿入センサ３４の状態がＯＮの状態を維持しているかチェックする（ステップＳ１０４）。
【００４８】
ステップＳ１０４で、ＮＯのときには、システム制御部４０は、原稿Ｇが原稿台１２から引き抜かれたと判断して、ステップＳ１０２に戻って、上記同様の処理を行い（ステップＳ１０２〜Ｓ１０４）、ＹＥＳのときには、原稿突き当て時間が経過したかチェックする（ステップＳ１０５）。
【００４９】
ステップＳ１０５で、ＮＯのとき、すなわち、原稿突き当て時間が経過していないときには、システム制御部４０は、ステップＳ１０４に戻って、原稿挿入センサ３４がＯＮしたかのチェック処理から上記同様に処理し（ステップＳ１０４、Ｓ１０５）、ステップＳ０１５で、ＹＥＳのとき、すなわち、原稿突き当て時間が経過すると、図７に示すように、駆動制御回路４２から読み取り駆動部１１ｈを介して原稿搬送モータ３９を駆動させて原稿Ｇをプレフィードする（ステップＳ１０６）。
【００５０】
システム制御部４０は、原稿Ｇをプレフィードすると、原稿Ｇの読み取り動作を行うのに原稿サイズデータが必要か判断し（ステップＳ１０７）、ＹＥＳのとき、すなわち、原稿サイズデータが必要なときには、図７に示すように、原稿幅サイズ検知センサ３７ａ〜３７ｄからの検知信号に基づいて原稿Ｇの幅サイズを検出する（ステップＳ１０８）。この場合、システム制御部４０は、例えば、原稿挿入センサ３４が原稿Ｇを検知して、原稿幅サイズ検知センサ３７ａ〜３７ｄのいずれもが原稿Ｇを検知しないときには、原稿Ｇの幅サイズが、最も中央よりの原稿幅サイズ検知センサ３７ａの検知サイズ幅であるＡ４サイズ以下であると判断する。
【００５１】
システム制御部４０は、原稿幅サイズを検出すると、検出した原稿幅サイズから原稿Ｇを読み取るに必要なＣＩＳ３２ａ〜３２ｅの領域を算出し（ステップＳ１０９）、ＣＩＳ３２ａ〜３２ｅの継ぎ目部分の画像データを使用することなく読み取りが可能なＣＩＳ３２ａ〜３２ｅがあるか否かを判断して、読み取り制御部１１ｆへフィードバックする（ステップＳ１１０）。
【００５２】
そして、システム制御部４０は、上記原稿幅サイズデータが必要か否かの判断及び原稿Ｇを読み取るのに必要なＣＩＳ３２ａ〜３２ｅの領域（必要領域）の算出を、ステップＳ１０１でのコピー条件の設定内容と原稿幅及びＣＩＳ３２ａ〜３２ｅの原稿読み取り領域の主走査長さ（以下、単に原稿読み取り領域の長さという。）に基づいて行う。
【００５３】
すなわち、操作表示部１３でのコピー条件の設定内容としては、以下の３つのパターンに大きく分けられる。
【００５４】
パターンＰａ：自動用紙検知モードまたは用紙指定変倍が選択設定された場合
パターンＰｂ：出力用紙サイズと変倍率が設定された場合
パターンＰｃ：ズーム変倍または独立変倍で副走査方向の変倍率が設定された場合
パターンＰａの場合、システム制御部４０は、自動用紙検知モードが選択されると、原稿幅サイズ検知センサ３７ａ〜３７ｄの原稿Ｇの検出結果に基づいて、原稿Ｇの幅サイズを決定して、ＣＩＳ３２ａ〜３２ｅの必要領域を判断し、読み取り制御部１１ｆに出力する。また、システム制御部４０は、用紙指定変倍が選択されると、指定された用紙幅と原稿幅サイズ検知センサ３７ａ〜３７ｄにより原稿Ｇの幅を検知して、用紙幅と原稿幅及びＣＩＳ３２ａ〜３２ｅの原稿読み取り領域の長さに基づいて、ＣＩＳ３２ａ〜３２ｅの必要領域を判断し、読み取り制御部１１ｆに出力する。この用紙の幅は、上述のように、カセット給紙部３やロール給紙部４の用紙センサの検出する用紙幅または操作表示部１３から入力される用紙幅が用いられる。
【００５５】
パターンＰｂの場合、システム制御部４０は、ＣＩＳ３２ａ〜３２ｅの原稿読み取り領域の長さと、図８に示すような読み取り領域テーブルＴｂ１と、に基づいてＣＩＳ３２ａ〜３２ｅの必要領域を判断し、読み取り制御部１１ｆに出力する。すなわち、読み取り領域テーブルＴｂ１は、用紙サイズと変倍率に対して、ＣＩＳ３２ｃを基準として、原稿Ｇを読み取るのに必要なＣＩＳ３２ａ〜３２ｅが登録されたテーブルとなっており、システム制御部４０は、例えば、操作表示部１３で、「出力用紙サイズＡ０で、変倍率が４００％」の設定操作が行われると、読み取り領域テーブルＴｂ１を参照して、ＣＩＳ３２ｃのみを必要領域（すなわち、繋ぎ目補正処理が不要）と判断して、読み取り制御部１１ｆに出力する。
【００５６】
パターンＰｃの場合、ズーム変倍は、原稿の指定領域のみをズームレンズのように変倍する変倍処理であり、独立変倍は、通常の変倍処理が主走査方向及び副走査方向に同じ変倍率で変倍するのに対して、主走査方向と副走査方向それぞれが独立した変倍率で変倍処理を行うものである。この独立変倍は、数ｍと長い画像をロール紙に記録する場合に、ロール紙の有効利用を図るとともに不要なロール紙のカット処理を省くために、原稿画像をロール紙の幅に合わせて変倍する場合に多く用いられる。そして、システム制御部４０は、例えば、ズーム変倍または独立変倍で、主走査方向の変倍率が４００％に設定された場合、変倍率が設定された時点で、用紙幅と変倍率及びＣＩＳ３２ａk等３２ｅの原稿読み取り領域の長さに基づいて、ＣＩＳ３２ａ〜３２ｅの必要領域を判断し、読み取り制御部１１ｆに出力する。
【００５７】
すなわち、これらのパターンＰａ〜Ｐｃのうち、パターンＰｂとパターンＰｃにおいては、原稿幅が不明であっても、用紙幅と変倍率及びＣＩＳ３２ａ〜３２ｅの原稿読み取り領域の長さに基づいて、原稿Ｇを読み取るのに必要なＣＩＳ３２ａ〜３２ｅを決定することができる。
【００５８】
そして、システム制御部４０は、ステップＳ１０７で、ＮＯのとき、すなわち、原稿サイズデータが必要でないとき、例えば、原稿サイズが操作表示部１３から入力されているときには、原稿幅サイズ検知センサ３７ａ〜３７ｄの検出結果に基づく原稿サイズ検出を行うことなく、原稿Ｇを読み取るに必要なＣＩＳ３２ａ〜３２ｅの領域を算出し、ＣＩＳ３２ａ〜３２ｅの継ぎ目部分の画像データを使用することなく読み取りが可能なＣＩＳ３２ａ〜３２ｅがあるか否かを判断して、読み取り制御部１１ｆへフィードバックする。
【００５９】
次に、システム制御部４０は、原稿セットされてから予め設定されている一時停止時間が経過するか、または、操作表示部１３のスタートボタンが押下されるのを待って（ステップＳ１１１）、読み取り制御ＦＰＧＡの各種設定、画像処理ＡＳＩＣ（Application Specific Integrated Circuit）である画像処理部５１の各種設定及び読み取りモードに応じたパラメータの設定を行い（ステップＳ１１２）、図６に示すように、まず、画像処理部５１に、黒レベルのシェーディング（濃度レベルのむら）を補正する黒シェーディングの設定を行わせる（ステップＳ１１３）。
【００６０】
読み取り制御部１１ｆは、ＣＩＳ３２ａ〜３２ｅのうち原稿Ｇの読み取りに必要なＣＩＳ３２ａ〜３２ｆに対してのみＬＥＤを点灯させ（ステップＳ１１４）、システム制御部４０は、ＬＥＤの光量が安定すると、画像処理部５１に対して、白シェーディング補正設定を行なわせる（ステップＳ１１５）。
【００６１】
次に、システム制御部４０は、読み取り制御部１１ｆの制御ＦＰＧＡ１１ｉに、ＣＩＳ３２ａ〜３２ｅのうち、原稿Ｇの読み取りに必要なＣＩＳ３２ａ〜３２ｅに対してのみ、読み取りモードを開始させて（ステップＳ１１６）、駆動制御回路４２は、読み取り駆動部１１ｈを介して原稿搬送モータ３９を回転させて原稿Ｇの搬送を開始する（ステップＳ１１７）。システム制御部４０は、原稿Ｇの搬送を開始して、原稿レジストセンサ３５がＯＮになると（ステップＳ１１８）、原稿Ｇをさらに一定量フィードさせて（ステップＳ１１９）、制御ＦＰＧＡ１１ｉが、原稿Ｇの読み取りに必要なＣＩＳ３２ａ〜３２ｅに対してのみ、ＦＧＡＴＥ信号をアサートして画像データの転送を開始し、読み取った画像データを画像処理部５１へ転送する（ステップＳ１２０）。
【００６２】
システム制御部４０は、原稿レジストセンサ３５がＯＦＦ（オフ）になると（ステップＳ１２１）、原稿Ｇをさらに一定量フィードさせ（ステップＳ１２２）、制御ＦＰＧＡ１１ｉが、ＦＧＡＴＥ信号をネゲート（画像データ送信終了）して、読み取り制御部１１ｆの制御ＦＰＧＡ１１ｉに、スキャンモード（読み取りモード）を終了させる（ステップＳ１２３）。
【００６３】
その後、システム制御部４０は、読み取り制御部１１ｆに、点灯させていたＣＩＳ３２ａ〜３２ｅのＬＥＤを消灯させ（ステップＳ１２５）、駆動制御回路４２が、読み取り駆動部１１ｈを介して、原稿搬送モータ３９を減速させながら停止させて、原稿排出センサ３６がＯＦＦになると、待機モードに移行して画像読み取り処理を終了する（ステップＳ１２６）。
【００６４】
デジタル複写装置１は、上記読み取り処理で読み取った画像データに対して、画像処理部５１で、図９に示すように画像処理を行う。すなわち、画像処理部５１は、画像読み取り部１１の画像転送部１１ｇから画像データが転送されてくると、図５及び図６の画像読み取り処理で設定された黒シェーディングデータや白シェーディングデータを用いたシェーディング補正処理及びその他の設定に応じた画像補正処理を、ＣＩＳ３２ａ〜３２ｅ毎に施し（ステップＳ２０１）、繋ぎ目補正処理（画像合成処理）が必要であるかチェックする（ステップＳ２０２）。すなわち、１つのＣＩＳ３２ｃのみの画像データであって端部が重なり合っているＣＩＳ３２ｂ、３２ｄの画像データを出力画像データとして必要であるか判断する。
【００６５】
ステップＳ２０２で、ＹＥＳのとき、すなわち、繋ぎ目補正処理が必要なときには、画像処理部５１は、通常の繋ぎ目補正処理を行い（ステップＳ２０３）、繋ぎ目補正処理を行った画像データを光書き込み部２３に出力して画像処理を終了する（ステップＳ２０４）。
【００６６】
ステップＳ２０２で、ＮＯのとき、すなわち、繋ぎ目補正処理が必要でないときには、画像処理部５１は、繋ぎ目補正処理を行うこと無く、その他の各種補正処理（画像処理）を施した画像データを光書き込み部２３に出力して画像処理を終了する（ステップＳ２０４）。
【００６７】
そして、画像処理部５１は、上記繋ぎ目補正処理を、例えば、図１０に示すように行う。なお、図１０では、ＣＩＳ３２ｃとＣＩＳ３２ｂとの繋ぎ部の繋ぎ目補正処理について示されている。ＣＩＳ３２ｃは、上述のように、ＣＩＳ３２ｂ及びＣＩＳ３２ｄとの間で、矢印で示す原稿読み取り領域において、繋ぎ部で副走査方向に重なり合っており、図１０では、ＣＩＳ３２ｃとＣＩＳ３２ｂとの繋ぎ部分について、破線で囲まれている部分を拡大して模式的に繋ぎ目補正処理を示している。
【００６８】
いま、ＣＩＳ３２ｃとＣＩＳ３２ｂとが重なり合っている繋ぎ部が、１２８画素であるとすると、画像処理部５１は、ＣＩＳ３２ｃとＣＩＳ３２ｂから送られてきた画像データを、１６画素単位で、ＣＩＳ３２ｂからの画像データについては、図１０の左側の画素から順に７／８、６／８、・・・、１／８の重み付け係数を用いて演算処理し、ＣＩＳ３２ｃからの画像データについては、図１０の右側の画素から順に、７／８、６／８、・・・、１／８の重み付け係数を用いて演算処理する。
【００６９】
画像処理部５１は、繋ぎ部画像データのうち、ＣＩＳ３２ｂとＣＩＳ３２ｃの繋ぎ部における重み付け演算した同じ画素位置の画像データの濃度を、そのまま加算合成し、繋ぎ部の画像データの画像濃度とする。そして、画像処理部５１は、繋ぎ部の繋ぎ目補正処理（画像合成処理）後の画像データに対しても読み取り時の画像濃度処理（補正処理）を行う。なお、ＣＩＳ３２ｃとＣＩＳ３２ｄ、ＣＩＳ３２ａとＣＩＳ３２ｂ、ＣＩＳ３２ｄとＣＩＳ３２ｅとの繋ぎ部についても、上記ＣＩＳ３２ｃとＣＩＳ３２ｂの繋ぎ部の繋ぎ目補正処理と同様の処理を行う。
【００７０】
なお、上記説明では、読み取りセンサ部３２は、ＣＩＳ３２ａ〜３２ｅとして、主走査方向の長さ（特に、原稿読み取り領域の長さ）が同じ５つのＣＩＳ３２ａ〜３２ｅを用いている場合について説明したが、ＣＩＳ３２ａ〜３２ｅは、同じ長さに限るものではなく、例えば、図１１に示すように、原稿Ｇの読み取りの基準となるＣＩＳである中央のＣＩＳ３２ｋが、他のＣＩＳ３２ａ、３２ｂ、３２ｄ、３２ｅよりもその原稿読み取り領域が長くてもよい。図１１では、ＣＩＳ３２ｋは、原稿読み取り領域の長さが、Ａ３サイズの長さを有しており、他のＣＩＳ３２ａ、３２ｂ、３２ｄ、３２ｅは、原稿読み取り領域の長さがＡ４サイズの長さを有している場合が示されている。
【００７１】
そして、図１１のような基準ＣＩＳ３２ｋがＡ３サイズであり、その他のＣＩＳ３２ａ、３２ｂ、３２ｄ、３２ｅがＡ４サイズであると、上記パターンＰｂやパターンＰｃでの必要ＣＩＳの範囲を判断する場合に使用する図８に示した読み取り領域テーブルＴｂ１は、図１２に示すようになる。すなわち、用紙サイズＡ４で、変倍率７３％、用紙サイズＡ３で、変倍率１００％、用紙サイズＡ２で、変倍率１４１％、用紙サイズＡ１で、変倍率２００％、用紙サイズＡ０で、変倍率２８３％の場合に、図８の読み取り領域テーブルＴｂ１では、ＣＩＳ３２ｂ〜３２ｄを使用するテーブルとなっているが、図１２の読み取り領域テーブルＴｂ２では、ＣＩＳ３２ｃのみを使用するテーブルとなっている。
【００７２】
したがって、図１１の場合、幅のより一層広い原稿Ｇに対して、１つのＣＩＳ３２ｋのみを用いて画像の読み取りを行うことができ、画像品質をより一層向上させることができる。
【００７３】
このように、本実施例のデジタル複写装置１は、原稿Ｇの搬送方向に所定量位置ずれして主走査方向に所定長さの原稿読み取り領域を有するとともに、それぞれの端部の原稿読み取り領域が所定量重なり合った重複部分を有する状態で千鳥状に配置されている複数の一次元の画像読み取りセンサであるＣＩＳ３２ａ〜３２ｅを用いて原稿Ｇの画像を読み取って、該重複部分で読み取った該各ＣＩＳ３２ａ〜３２ｅの出力する画像データを１ラインの画像データに合成する繋ぎ目補正処理（画像合成処理）を画像処理部５１で行うか否かを、システム制御部４０が、ＣＩＳ３２ａ〜３２ｅの原稿読み取り領域の主走査長さと原稿Ｇの幅（原稿幅）に基づいて判断して、画像処理部５１での繋ぎ目補正処理の実施を制御している。
【００７４】
したがって、ＣＩＳ３２ａ〜３２ｅの重複部分の合成画像を用いることなく原稿Ｇの画像を読み取ることができる場合に、重複部分の繋ぎ目補正処理を行わない画像データを原稿画像データとして採用することができ、読み取り画像の画像品質を向上させることができる。
【００７５】
また、本実施例のデジタル複写装置１は、原稿Ｇの幅を、画像読み取り部１１の原稿搬送方向手前に配設された原稿幅サイズ検知センサ３７ａ〜３７ｄの検出結果、または、操作表示部１３からのユーザによる原稿幅の設定入力に基づいて取得している。
【００７６】
したがって、正確な原稿幅に基づいて、ＣＩＳ３２ａ〜３２ｅの重複部分の合成画像を用いる必要があるか否か判断して、重複部分の繋ぎ目補正処理を行わない画像データを適切に原稿画像データとして採用することができ、読み取り画像の画像品質を向上させることができる。
【００７７】
さらに、本実施例のデジタル複写装置１は、画像処理部５１でのＣＩＳ３２ａ〜３２ｅの出力する画像データに対する主走査方向の変倍率が操作表示部１３で設定されると、システム制御部４０が、ＣＩＳ３２ａ〜３２ｅの原稿読み取り領域の主走査長さ、原稿幅及び変倍率に基づいて、画像処理部５１での重複部分の繋ぎ目補正処理の要否を判断して該繋ぎ目補正処理の実施を制御している。
【００７８】
したがって、変倍率によって重複部分の繋ぎ目補正処理後の画像が目立つ場合等に繋ぎ目補正処理を行わないようにことができ、画像品質を適切に向上させることができる。
【００７９】
また、本実施例のデジタル複写装置１は、操作表示部１３で、画像処理部５１でのＣＩＳ３２ａ〜３２ｅの出力する画像データに対する主走査方向の変倍率及び出力画像幅が設定されると、システム制御部４０が、ＣＩＳ３２ａ〜３２ｅの原稿読み取り領域の主走査長さ、該変倍率及び該出力画像の幅に基づいて画像処理部５１での繋ぎ目補正処理の要否を判断して該繋ぎ目補正処理の実施を制御している。
【００８０】
したがって、原稿Ｇの幅を検出したり、設定入力することなく、変倍率と出力画像の幅に基づいて、ＣＩＳ３２ａ〜３２ｅの重複部分の合成画像を用いる必要があるか否か判断して、重複部分の繋ぎ目補正処理を行わない画像データを適切に原稿画像データとして採用することができ、読み取り画像の画像品質を向上させることができる。
【００８１】
さらに、本実施例のデジタル複写装置１は、システム制御部４０が、複数のＣＩＳ３２ａ〜３２ｅのうち、主走査方向中央位置または一方側端部位置に配設され、原稿Ｇを読み取る基準となる基準ＣＩＳ（例えば、ＣＩＳ３２ｃ）と、基準ＣＩＳとその端部が重なり合っている他のＣＩＳ（例えば、ＣＩＳ３２ｂ、３２ｄ）の重複部分が読み取った画像データに対する繋ぎ目補正処理の要否を判断している。
【００８２】
したがって、基準ＣＩＳ３２ｃのみで原稿Ｇの画像読み取ることができるか否かを判断して、重複部分の繋ぎ目補正処理を行わない画像データを適切に原稿画像データとして採用することができ、読み取り画像の画像品質を向上させることができる。
【００８３】
また、本実施例のデジタル複写装置１は、読み取りセンサ部３２が、複数のＣＩＳ３２ａ〜３２ｅのうち、原稿Ｇを読み取る基準となる基準ＣＩＳ３２ｋが、主走査方向中央位置または主走査方向一方側端部位置に配設され、他のＣＩＳＣＩＳ３２ａ、３２ｂ、３２ｄ、３２ｅよりも原稿読み取り領域の長さが長い。
【００８４】
したがって、幅のより一層広い原稿Ｇに対して、１つのＣＩＳ３２ｋのみを用いて画像の読み取りを行うことができ、画像品質をより一層向上させることができる。
【００８５】
さらに、本実施例のデジタル複写装置１は、システム制御部４０が、画像処理部５１による繋ぎ目補正処理の要否を判断するとともに、複数のＣＩＳ３２ａ〜３２ｅのうち原稿Ｇを読み取るのに使用するＣＩＳ３２ａ〜３２ｅを決定して、画像読み取り部１１に、決定した該ＣＩＳ３２ａ〜３２ｅのみを用いて原稿Ｇを読み取らせている。
【００８６】
したがって、原稿Ｇの読み取りに不必要なＣＩＳ３２ａ〜３２ｅを駆動させることなく、原稿Ｇの画像を適切に読み取ることができるとともに、基準ＣＩＳ３２ｃのみで原稿Ｇの画像読み取ることができるか否かを判断して、重複部分の繋ぎ目補正処理を行わない画像データを適切に原稿画像データとして採用することができ、読み取り画像の画像品質を向上させることができる。
【００８７】
また、本実施例のデジタル複写装置１は、システム制御部４０が、原稿Ｇの幅と用紙の幅及びＣＩＳ３２ａ〜３２ｅの原稿読み取り領域の主走査長さに基づいて、画像処理部５１による繋ぎ目補正処理の要否を判断して、画像処理部５１による繋ぎ目補正処理の実施を制御している。
【００８８】
したがって、原稿幅と用紙幅に基づいて、重複部分の繋ぎ目補正処理の要否を判断して、繋ぎ目補正処理を行わない画像データを適切に原稿画像データとして採用することができ、読み取り画像の画像品質を向上させることができる。
【００８９】
さらに、本実施例のデジタル複写装置１は、用紙幅と変倍率及びＣＩＳ３２ａ〜３２ｅの原稿読み取り領域の主走査長さに基づいて、画像処理部５１による繋ぎ目補正処理の要否を判断して、画像処理部５１による繋ぎ目補正処理の実施を制御している。
【００９０】
したがって、用紙幅と変倍率に基づいて、重複部分の繋ぎ目補正処理の要否を判断して、繋ぎ目補正処理を行わない画像データを適切に原稿画像データとして採用することができ、読み取り画像の画像品質を向上させることができる。
【００９１】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００９２】
本発明は、千鳥状に配列された複数のＣＩＳ等の密着イメージセンサを用いて原稿の画像を良好な画像品質で読み取るスキャナ装置、複写装置等の画像読み取り装置、該画像読み取り装置を搭載する画像形成装置、、画像読み取り方法、画像形成方法、画像読み取りプログラム、画像形成プログラム及び記録媒体に利用することができる。
【符号の説明】
【００９３】
１  デジタル複写装置
２  本体筐体
３  カセットカセット給紙部
４  ロール給紙部
５  搬送部
６  画像形成部
７  排紙部
８  排紙トレイ
１１  画像読み取り部
１１ａ〜１１ｅ  ＡＤ変換部
１１ｆ  読み取り制御部
１１ｇ  画像転送部
１１ｈ  読み取り駆動部
１１ｉ  制御ＦＰＧＡ
１２  原稿テーブル
１３  操作表示部
１４  原稿排出テーブル
２１  感光体
２２  帯電チャージャ
２３ａ〜２３ｃ  ＬＰＨ
２３ｄ  書き込み制御部
２３  光書き込み部
２４  現像ユニット
２５  転写チャージャ
２６  分離チャージャ
２７  レジストローラ
２８  定着部
３１  前ローラ対
３２  読み取りセンサ部
３２ａ、３２ｂ、３２ｃ、３２ｄ、３２ｅ、３２ｋ  ＣＩＳ
３３  後ローラ対
３４  原稿挿入センサ
３５  原稿レジストセンサ
３６  原稿排出センサ
３７ａ〜３７ｄ  原稿幅サイズ検知センサ
３８  白基準板
３９  原稿搬送モータ
４０  システム制御部
４１  ＣＰＵ
４２  駆動制御回路
５０  画像処理記憶部
５１  画像処理部
５２  画像メモリ部
６０  電源部
Ｇ  原稿
Ｔｂ１、Ｔｂ２  読み取り領域テーブル
【先行技術文献】
【特許文献】
【００９４】
【特許文献１】特開２００３−４６７３６号公報
【図１】
2012065161.tif 000003
【図２】
2012065161.tif 000004
【図３】
2012065161.tif 000005
【図４】
2012065161.tif 000006
【図５】
2012065161.tif 000007
【図６】
2012065161.tif 000008
【図７】
2012065161.tif 000009
【図８】
2012065161.tif 000010
【図９】
2012065161.tif 000011
【図１０】
2012065161.tif 000012
【図１１】
2012065161.tif 000013
【図１２】
2012065161.tif 000014